(57)【要約】【課題】外壁用断熱材に加工を必要とすることなく、胴縁材の反りや波打ちを矯正することができ、外断熱の施工の省力化とコストダウンが図れ、高気密、高断熱を損なうことがない断熱材用埋め込みブラケットを提供する。【解決手段】硬質合成樹脂を用いた筒状胴部１２の一方端部に、外周に張り出す頭部１３と、中央部の位置にねじ込み治具の係合部１４を設け、この筒状胴部１２の外周にねじ込み用の雄ねじ１５を周設し、上記筒状胴部１２の他方端部が雄ねじの無い所要長さの無ねじ部１６に形成されている。【選択図】　図１
2004052370.tif 000002
【特許請求の範囲】
【請求項１】
筒状胴部の一方端部における中央部の位置にねじ込み治具の係合部を設け、この筒状胴部の外周にねじ込み用の雄ねじを周設し、上記筒状胴部の他方端部が雄ねじの無い所要長さの無ねじ部に形成されている断熱材用埋め込みブラケット。
【請求項２】
前記筒状胴部は、一方端部に外周へ張り出した頭部が設けられている請求項１に記載の断熱材用埋め込みブラケット。
【請求項３】
前記筒状胴部は、軸方向の途中から一方端部の間が、一方端部に向けて大径となるテーパー部に形成されている請求項１に記載の断熱材用埋め込みブラケット。
【請求項４】
前記筒状胴部は、少なくとも途中から他方端部の間がストレート部に形成され、この筒状胴部の内部が無ねじ部の先端で開口する円形孔となり、雄ねじは、ストレート部の外周でその先端側に無ねじ部を残した位置から筒状胴部の途中の範囲に設けられている請求項１乃至３の何れかに記載の断熱材用埋め込みブラケット。
【請求項５】
柱の外側に外壁用断熱材を配置し、この外壁用断熱材の外面で柱と対応する位置に、外壁材の取り付け用となる胴縁材を重ね、上記胴縁材から柱にねじ込む締結部材で外壁用断熱材を柱に固定するようにした外壁用断熱材の施工方法であり、外壁用断熱材の厚みに見合う長さを有する請求項１乃至４の何れかに記載の断熱材用埋め込みブラケットを用い、外壁用断熱材の柱と胴縁材の間に位置させる部分の上下複数箇所に、上記ブラケットをねじ込むことによって埋設し、このブラケットの埋設部分を挟むようにして胴縁材を柱に締結部材で固定することを特徴とする外壁用断熱材の施工方法。
【発明の詳細な説明】
【０００１】
【発明の属する技術分野】
この発明は、建築物の外壁に組み込み使用する断熱材の施工に用いる埋め込みブラケットと、このブラケットを用いた外壁用断熱材の施工方法に関する。
【０００２】
【従来の技術】
近年、住宅等の建築物の断熱効率を向上させるため、外壁に施す断熱方法は、建物躯体の内側に断熱材を入れる内断熱から、建物躯体の外側を包む外断熱へと移行している。
【０００３】
この外断熱は、建築物の外壁において、柱の外側に外壁用断熱材を配置することにより、断熱効果の向上と室内側での結露の発生を抑え、カビやダニの発生を防ぐことができるという利点がある。
【０００４】
図７と図８は、住宅の外壁に施す従来の外断熱の施工例を示し、柱１の外側に外壁用断熱材２を配置し、この外壁用断熱材２の外面で柱と対応する位置に、外壁材３の取り付け用となる胴縁材４を重ね、上記胴縁材４から外壁用断熱材２を貫通して柱１にねじ込む締結部材５で、外壁用断熱材２を柱１に固定し、この後、胴縁材４の外面に外壁材３をねじや釘等の締結部材６で固定するようにしていた。
【０００５】
ところで、上記外壁用断熱材２は、軟質の発泡体を用いて形成されているため、加圧力に対して収縮することになり、従来のように、外壁用断熱材２の外面に胴縁材４を重ね、締結部材５を胴縁材４から外壁用断熱材２を貫通して柱１にねじ込む方法では、胴縁材４で外壁用断熱材２を直接加圧することになるので、外壁用断熱材２は胴縁材４の重なる部位において、締結部材５による締め付け位置が部分的に凹入し、胴縁材４が波打ち状となり上下直線状に取り付けることができない。
【０００６】
また、胴縁材４は、木製の角材であるので元々反りがあり、図９（Ａ）のような外反りや図９（Ｂ）のような内反りの形状を、上記のような取り付け構造で矯正しようとすると、外壁用断熱材２に大きな圧縮力を加えることになり、外壁用断熱材２に破損が生じることになるので、実際には反りがあるまま胴縁材４を固定している。
【０００７】
【発明が解決しようとする課題】
上記のように、胴縁材４に波打ちや反りがあると、この胴縁材４の外側に固定する外壁材３が波打ちや反りのある状態で貼られるため、外壁材３の仕上がりの美観及び防水性能を損なうという問題がある。
【０００８】
また、外壁材３の波打ちや反りの発生を防ぐ方法として、図１０に示すように、外壁用断熱材２の厚みが嵌まる内幅とした鉤型の金属製ブラケット７を柱１の上下複数箇所に固定し、このブラケット７に外壁用断熱材２のコーナ部分を嵌め込むことにより、外壁用断熱材２の取り付けを行い、この後、上下ブラケット７に胴縁材４をボルト８で固定するようにした施工方法が提案されている。
【０００９】
このような施工方法は、金属製ブラケット７に胴縁材４を締結部材で固定するので、外壁用断熱材２を圧縮することなく胴縁材４の反りや波打ちを矯正することができるという利点がある反面、外壁用断熱材２に前もって孔をあけたり切り込みを入れたり等の加工が必要になり、このため、施工時の作業性が悪いだけでなく、外壁用断熱材２の位置合わせ作業も大変である。
【００１０】
また、外壁用断熱材２に孔をあけたり切り込みを入れるため、どうしても、張設した外壁用断熱材２に隙間ができたり空間部分が発生し、本来の高気密、高断熱の性能が損なわれるという問題がある。
【００１１】
そこで、この発明の課題は、外壁用断熱材に加工を必要とすることなく、胴縁材の反りや波打ちを矯正することができ、外断熱の施工の省力化とコストダウンが図れ、高気密、高断熱を損なうことがない断熱材用埋め込みブラケットと、このブラケットを用いた外壁用断熱材の施工方法を提供することにある。
【００１２】
【課題を解決するための手段】
上記のような課題を解決するため、請求項１の発明は、筒状胴部の一方端部に、外周に張り出す頭部と、中央部の位置にねじ込み治具の係合部を設け、この筒状胴部の外周にねじ込み用の雄ねじを周設し、上記筒状胴部の他方端部が雄ねじの無い所要長さの無ねじ部に形成されている構成を採用したものである。
【００１３】
請求項２の発明は、前記筒状胴部は、一方端部に外周へ張り出した頭部が設けられている構成を採用したものである。
【００１４】
請求項３の発明は、前記筒状胴部は、軸方向の途中から一方端部の間が、一方端部に向けて大径となるテーパー部に形成されている構成を採用したものである。
【００１５】
請求項４の発明は、前記筒状胴部は、少なくとも途中から他方端部の間がストレート部に形成され、この筒状胴部の内部が無ねじ部の先端で開口する円形孔となり、雄ねじは、ストレート部の外周でその先端側に無ねじ部を残した位置から筒状胴部の途中の範囲に設けられている構成を採用したものである。
【００１６】
請求項５の発明は、柱の外側に外壁用断熱材を配置し、この外壁用断熱材の外面で柱と対応する位置に、外壁材の取り付け用となる胴縁材を重ね、上記胴縁材から柱にねじ込む締結部材で外壁用断熱材を柱に固定するようにした外壁用断熱材の施工方法であり、外壁用断熱材の厚みに見合う長さを有する請求項１乃至４の発明に記載の断熱材用埋め込みブラケットを用い、外壁用断熱材の柱と胴縁材の間に位置させる部分の上下複数箇所に、上記ブラケットをねじ込むことによって埋設し、このブラケットの埋設部分を挟むようにして胴縁材を柱に締結部材で固定する構成を採用したものである。
【００１７】
ここで、ブラケットは硬質のプラスチック材料を用い、筒状胴部の全長は外壁用断熱材の厚みに略一致するように設定すると共に、筒状胴部における無ねじ部は、先端部分の外径面をテーパーとすることにより先端を先鋭状とし、外壁用断熱材に対するねじ込み時の進入が円滑に行えるようにすることができる。
【００１８】
また、筒状胴部の外面に設けた雄ねじは、一方端部側に向けて大径になっていると共に、一方端部に設けたねじ込み治具の係合部は、筒状胴部の内部円形孔と連通する平面十字状に形成され、上記ねじ込み治具は、この係合部に対する係合突部と、柱に胴縁材を固定する締結部材をねじ込むために用いるビットの挿入係合孔とを有し、外壁用断熱材に対するブラケットのねじ込みと、柱への胴縁材の固定とが同一ビットを用いて行うことができ、ビットの交換が不要になる。
【００１９】
【発明の実施の形態】
以下、この発明の実施の形態を添付図面に基づいて説明する。
【００２０】
図１乃至図５のように、ブラケット１１は硬質のプラスチック材料を用い、断面円形となる筒状胴部１２の一方端部に、外周に張り出す鍔状の頭部１３と、中央部の位置にねじ込み治具の係合部１４を設け、この筒状胴部１２の外周にねじ込み用の雄ねじ１５を周設し、上記筒状胴部１２の先端となる他方端部が雄ねじの無い所要長さの無ねじ部１６に形成されている。
【００２１】
上記筒状胴部１２は、軸方向の途中から頭部１３の間が頭部１３に向けて大径となるテーパー部１７で、途中から他方端部の間がストレート部１８に形成され、この筒状胴部１２の内部が無ねじ部１６の先端で開口する円形孔１９に形成され、雄ねじ１５は、ストレート部１８の外周でその先端側に無ねじ部１６を残した位置からテーパー部１７の小径端に達する範囲に設けられ、頭部１３側に向けて徐々に大径になるよう形成されている。
【００２２】
なお、図示の場合、ブラケット１１は、筒状胴部１２の一方端部の外周に張り出す鍔状の頭部１３を設けた例を示したが、このような頭部１３は必ずしも必要ではなく、例えば、筒状胴部１２の途中から一方端部の間を一方端部に向けて大径となるテーパー部に形成したり、単に筒状胴部１２の全長をストレートの円筒状にして頭部１３を省いた構造としてもよい。
【００２３】
また、筒状胴部１２の全長は外壁用断熱材２の厚みに略一致するように設定すると共に、筒状胴部１２における無ねじ部１６は、図１（Ｂ）のような単なる円筒状だけでなく、外径面を先端側が小径となるテーパーとすることにより先端を先鋭端とし、外壁用断熱材２に対するねじ込み時の進入が円滑に行えるようにしてもよい。
【００２４】
この無ねじ部１６の長さは、外壁用断熱材２にブラケット１１をねじ込んだ時、外壁用断熱材２の背面側に、雄ねじ１５による破壊や花咲き現象が発生しない範囲で設定すればよい。
【００２５】
上記筒状胴部１２の一方端部に設けたねじ込み治具２１の係合部１４は、筒状胴部１２の内部円形孔１９と連通する平面十字状に形成され、上記ねじ込み治具２１は、図６のように、円板部２２の一面側に、この係合部１４に対する十字状の係合突部２３と、他面側に角軸部２４とを連成し、角軸部２４から係合突部２３の軸心に沿って、柱１に胴縁材４を固定する締結部材２５をねじ込むために用いるビット２６の挿入係合孔２７が設けられ、このねじ込み治具２１の採用により、外壁用断熱材２に対するブラケット１１のねじ込みと、柱１への胴縁材４の固定とが同一のビット２６を用いて行うことができ、電動ねじ込み工具２８に装着したビット２６の交換作業が不要になる。
【００２６】
この発明のブラケットは、上記のような構成であり、次に、このブラケットを用いた外壁用断熱材の施工方法を説明する。
【００２７】
図２のように、柱１の外面に外壁用断熱材２を重ね、この外壁用断熱材２を釘２９の打ち込みによって柱１に仮止めすると共に、電動ねじ込み工具２８のビット２６にねじ込み治具２１を取り付け、ねじ込み治具２１にブラケット１１を装着する。
【００２８】
上記電動ねじ込み工具２８の起動で回転させたブラケット１１を、外壁用断熱材２に対して柱１との重なり合う部分に前面側から押し付けると、先ず、無ねじ部１６の先端が外壁用断熱材２を切り込むようにして進入し、次に、外周の雄ねじ１５が外壁用断熱材２に食い込むことで、ブラケット１１は外壁用断熱材２の厚み内に進入し、頭部１３が外壁用断熱材２の外面に当接して端面が外壁用断熱材２の外面と同一面になった時点で、無ねじ部１６の先端が外壁用断熱材２の背面に到達し、ねじ込みを完了する。
【００２９】
このようにして、外壁用断熱材２の上下複数箇所にブラケット１１をねじ込むようにする。
【００３０】
上記ブラケット１１のねじ込み時において、無ねじ部１６の先端が外壁用断熱材２を円形に切り込むことにより、図５のように、筒状胴部１２の内部円形孔１９内に円軸状の切り屑２ａが進入し、この切り屑２ａが内部円形孔１９内を閉塞することにより、ブラケット１１のねじ込み部分の気密性を確保することができる。
【００３１】
また、ブラケット１１の筒状胴部１２は、途中から頭部の間が頭部に向けて大径となるテーパー部１７になっているので、ねじ込み時にテーパー部１７が外壁用断熱材２と圧着することでねじ込み固定強度が向上する。
【００３２】
更に、筒状胴部１２の先端を無ねじ部１６に形成しておくと、無ねじ部１６の先端が外壁用断熱材２の背面に到達するとき、雄ねじ１５による外壁用断熱材２の破壊を防ぎ、外壁用断熱材２の背面に花咲き状態や突出部分の発生がなく、柱１から外壁用断熱材２の浮き上がりが生じないことになる。
【００３３】
ブラケット１１のねじ込みが完了すると、図３と図４のように、外壁用断熱材２の前面に透湿シート３０を貼り付けた後、外壁用断熱材２のブラケット１１をねじ込んだ位置に胴縁材４を重ね、締結部材２５をこの胴縁材４から外壁用断熱材２を貫通するよう柱１にねじ込みむことにより、柱１に胴縁材４を固定する。
【００３４】
上記締結部材２５による胴縁材４の固定時に、柱１と胴縁材４の間にはブラケット１１が介在することになり、従って、締結部材２５を強力に締め付けても外壁用断熱材２は直接圧縮を受けることがなく、このため、上下各部の強力な締め付けにより、胴縁材４に発生している反りや波打ちを矯正することができ、胴縁材４を上下直線状に固定することができる。
【００３５】
なお、図３では、締結部材２５がブラケット１１と離れた位置で、胴縁材４と外壁用断熱材２を貫通して柱１にねじ込んだが、締結部材２５は、ブラケット１１の軸心部を通るようにして柱１にねじ込むようにしてもよく、この場合、ブラケット１１の内部円形孔１９内は円軸状の切り屑２ａで埋まっており、締結部材２５は、この切り屑２ａ内を進入することになるので、外壁用断熱材２の気密性を損なうことはない。
【００３６】
上記胴縁材４の外側に外壁材３を釘やねじ等の締結部材６で取り付ければ、建物の外壁における外断熱の施工が完了することになる。
【００３７】
【発明の効果】
以上のように、この発明によると、一方端部に頭部と中央部の位置にねじ込み治具の係合部を設けた筒状胴部の外周にねじ込み用の雄ねじを周設し、上記筒状胴部の他方端部を雄ねじの無い所要長さの無ねじ部に形成したので、このブラケットを断熱材にねじ込んで埋め込むことにより、断熱材の厚み方向の収縮発生を防ぐことができ、建物の外壁における外断熱の施工時に、柱に固定する胴縁材で外壁用断熱材が圧縮変形するようなことがなく、従って、柱に胴縁材を固定する締結部材を強力に締め付けることができ、胴縁材に発生している反りや波打ちを矯正し、外壁材の仕上がりの美観及び防水性能の向上を図ることができる。
【００３８】
また、ブラケットは外壁用断熱材に対してねじ込むだけでよいので、外壁用断熱材に特別な加工を施す必要がなく、外断熱の施工の省力化とコストダウンが図れ、しかも、ブラケットの内部は外壁用断熱材で閉塞されるので、外壁用断熱材の高気密、高断熱を損なうことがない。
【図面の簡単な説明】
【図１】（Ａ）はこの発明に係るブラケットの斜視図、（Ｂ）は同縦断正面図、（Ｃ）は一部切り欠き平面図
【図２】この発明に係るブラケットを外壁用断熱材にねじ込む前の縦断正面図
【図３】この発明に係るブラケットをねじ込んだ外壁用断熱材で外断熱の施工を完了した状態の縦断正面図
【図４】同上の横断平面図
【図５】（Ａ）は外壁用断熱材にこの発明に係るブラケットをねじ込んだ状態の拡大した縦断正面図、（Ｂ）は同縦断側面図
【図６】（Ａ）はねじ込み治具の下から見た斜視図、（Ｂ）は同ねじ込み治具とビットの関係を示す縦断正面図
【図７】外壁用断熱材を用いた従来の外断熱の施工を完了した状態の縦断正面図
【図８】同上の横断平面図
【図９】（Ａ）と（Ｂ）は胴縁材の反りの発生状態を示す縦断正面図
【図１０】外壁用断熱材を用いた従来の外断熱の施工状態を示す縦断正面図
【符号の説明】
１　　柱
２　　外壁用断熱材
２ａ　切り屑
３　　外壁材
４　　胴縁材
５　　締結部材
６　　締結部材
７　　ブラケット
８　　ボルト
１１　ブラケット
１２　筒状胴部
１３　頭部
１４　係合部
１５　雄ねじ
１６　無ねじ部
１７　テーパー部
１８　ストレート部
１９　円形孔
２１　ねじ込み治具
２２　円板部
２３　係合突部
２４　角軸部
２５　締結部材
２６　ビット
２７　係合孔
２８　電動ねじ込み工具
２９　釘
３０　透湿シート
【図１】
2004052370.tif 000003
【図２】
2004052370.tif 000004
【図３】
2004052370.tif 000005
【図４】
2004052370.tif 000006
【図５】
2004052370.tif 000007
【図６】
2004052370.tif 000008
【図７】
2004052370.tif 000009
【図８】
2004052370.tif 000010
【図９】
2004052370.tif 000011
【図１０】
2004052370.tif 000012